【手続補正書】
【提出日】平成30年10月10日(2018.10.10)
【手続補正１】
【補正対象書類名】特許請求の範囲
【補正対象項目名】全文
【補正方法】変更
【補正の内容】
【特許請求の範囲】
【請求項１】
第１の装置から第２の装置へのオーディオ／ビデオ放送のシームレスな再生ハンドオーバの方法であって、中間モバイル通信装置によって実行され、
前記第１の装置によって同様に受信及び再生される前記オーディオ／ビデオ放送の、前記中間モバイル通信装置におけるオーディオ／ビデオ放送受信装置による受信を前記中間モバイル通信装置によって設定することと、
前記オーディオ／ビデオ放送の前記第１の装置による再生の中断を前記中間モバイル通信装置によって検出することと、
前記検出後、前記中間モバイル通信装置における前記オーディオ／ビデオ放送受信装置によって受信された前記オーディオ／ビデオ放送を前記中間モバイル通信装置におけるタイムシフトメモリに格納することと、
前記第２の装置の存在が前記中間モバイル通信装置によって検出される場合に、前記中間モバイル通信装置を前記第２の装置に接続し、及び前記中間モバイル通信装置による前記第１の装置から前記第２の装置への前記オーディオ／ビデオ放送のシームレスな再生ハンドオーバのために、前記中間モバイル通信装置における前記オーディオ／ビデオ放送受信装置によって受信された前記オーディオ／ビデオ放送を、前記中間モバイル通信装置における前記タイムシフトメモリから前記第２の装置へと前記中間モバイル通信装置によってタイムシフトしてストリーミングすることと
を含む方法。
【請求項２】
前記中間モバイル通信装置における前記タイムシフトメモリからの前記オーディオ／ビデオ放送の、前記中間モバイル通信装置による前記タイムシフトされたストリーミングのタイムシフト遅延が閾値未満であるときに、
前記第２の装置に含まれるか又は前記第２の装置に関連付けられている、前記オーディオ／ビデオ放送を受信するための受信装置を通じた前記第２の装置による前記オーディオ／ビデオ放送の受信に切り替わるための要求を、前記中間モバイル通信装置によって前記第２の装置に送信することと、
前記第２の装置における前記受信装置を通じた前記オーディオ／ビデオ放送の受信に前記第２の装置が切り替わったという確認が前記中間モバイル通信装置によって前記第２の装置から受信されるときに、前記オーディオ／ビデオ放送の受信及び格納のために使用された前記中間モバイル通信装置の資源を前記中間装置によって解放することと
を更に含み、
前記タイムシフト遅延は、前記検出と前記タイムシフトされたストリーミングの開始との間で経過した時間に対応する、請求項１に記載の方法。
【請求項３】
再生の前記中断の前記検出は、前記第１の装置によって生成される少なくとも１つの物理的パラメータのレベルが閾値未満に低下していることを前記中間モバイル通信装置が測定することに基づく、請求項１又は２に記載の方法。
【請求項４】
前記第１の装置によって生成される前記少なくとも１つの物理的パラメータは、前記第１の装置によって生成される無線周波数信号の信号レベルである、請求項３に記載の方法。
【請求項５】
前記第１の装置によって生成される前記少なくとも１つの物理的パラメータは、前記オーディオ／ビデオ放送の前記第１の装置による再生のオーディオレベルである、請求項３又は４に記載の方法。
【請求項６】
前記第２の装置の前記存在は、距離検出に基づいて前記中間モバイル通信装置によって検出され、前記第２の装置の前記存在は、前記中間モバイル通信装置と前記第２の装置との間の距離が閾値未満であるときに前記モバイル通信装置によって検出される、請求項１〜５のいずれか一項に記載の方法。
【請求項７】
前記第２の装置の前記存在は、短距離無線通信を通して前記中間モバイル通信装置によって検出される、請求項１〜６のいずれか一項に記載の方法。
【請求項８】
前記第２の装置の前記存在は、前記第２の装置を含む無線デジタル通信ネットワークの、前記中間モバイル通信装置による検出に基づいて、前記中間モバイル通信装置によって検出される、請求項１〜７のいずれか一項に記載の方法。
【請求項９】
前記第２の装置の前記存在は、前記中間モバイル通信装置による前記第２の装置の存在の物理的な検出に基づいて検出される、請求項１〜８のいずれか一項に記載の方法。
【請求項１０】
前記物理的な検出は、前記第２の装置の画像を捕捉するための前記中間モバイル通信装置におけるカメラの使用を含む、請求項９に記載の方法。
【請求項１１】
前記物理的な検出は、前記第２の装置への前記中間モバイル通信装置のポインティングを決定するための前記中間モバイル通信装置におけるポインティング装置の使用を含む、請求項９又は１０に記載の方法。
【請求項１２】
モバイル通信装置による第１の装置から第２の装置へのオーディオ／ビデオ放送のシームレスな再生ハンドオーバのためのモバイル通信装置であって、
前記第１の装置によって同様に受信及び再生される前記オーディオ／ビデオ放送を受信するように構成された、前記モバイル通信装置におけるオーディオ／ビデオ放送受信機と、
前記オーディオ／ビデオ放送の前記第１の装置による再生の中断を検出するように構成された、前記モバイル通信装置における検出器と、
前記モバイル通信装置による前記検出時に、前記モバイル通信装置における前記オーディオ／ビデオ放送受信機によって受信される前記オーディオ／ビデオ放送を前記モバイル通信装置に格納するように構成された、前記モバイル通信装置におけるタイムシフトメモリと、
前記第２の装置の存在が検出される場合に、前記モバイル通信装置を前記第２の装置に接続するように構成された、前記モバイル通信装置におけるネットワークインターフェース、及び前記モバイル通信装置による前記第１の装置から前記第２の装置への前記オーディオ／ビデオ放送のシームレスな再生ハンドオーバのために、前記モバイル通信装置における前記オーディオ／ビデオ放送受信機によって受信された前記オーディオ／ビデオ放送を、前記モバイル通信装置によって前記モバイル通信装置における前記タイムシフトメモリから前記第２の装置へとタイムシフトしてストリーミングするように構成されたプロセッサと
を含むモバイル通信装置。
【請求項１３】
前記モバイル通信装置における前記ネットワークインターフェースは、前記モバイル通信装置による前記第２の装置への前記オーディオ／ビデオ放送の前記タイムシフトされたストリーミングのタイムシフト遅延が閾値未満であるときに、前記第２の装置に含まれるか又は前記第２の装置に関連付けられている、前記オーディオ／ビデオ放送を受信するための受信装置を通じた前記第２の装置による前記オーディオ／ビデオ放送の受信に切り替わるための要求を、前記第２の装置に送信するように更に構成され、及び
前記モバイル通信装置における前記プロセッサは、前記第２の装置における前記受信装置を通じた前記オーディオ／ビデオ放送の受信に前記第２の装置が切り替わったという確認が前記モバイル通信装置によって前記第２の装置から受信されるときに、前記モバイル通信装置における前記オーディオ／ビデオ放送受信機及び前記モバイル通信装置における前記タイムシフトメモリを解放するように更に構成され、
前記タイムシフト遅延は、前記検出と前記タイムシフトされたストリーミングの開始との間で経過した時間に対応する、請求項１２に記載のモバイル通信装置。
【請求項１４】
前記モバイル通信装置における前記検出器は、前記第１の装置によって生成される少なくとも１つの物理的パラメータのレベルを測定することにより、前記第１の装置による再生の中断を検出するように更に構成される、請求項１２又は１３に記載のモバイル通信装置。
【請求項１５】
前記モバイル通信装置における前記検出器は、前記第１の装置によって生成される無線周波数信号の信号レベルを測定することにより、前記第１の装置による再生の中断を検出するように更に構成される、請求項１４に記載のモバイル通信装置。
【手続補正２】
【補正対象書類名】明細書
【補正対象項目名】０００５
【補正方法】変更
【補正の内容】
【０００５】
この目的のために、本原理は、第１の装置から第２の装置へのオーディオ／ビデオ放送のシームレスな再生ハンドオーバの方法を含む。方法は、中間モバイル通信装置によって実行され、且つ第１の装置によって同様に受信及び再生されるオーディオ／ビデオ放送の、前記中間モバイル通信装置におけるオーディオ／ビデオ放送受信装置による受信を中間モバイル通信装置によって設定することと、オーディオ／ビデオ放送の第１の装置による再生の中断をモバイル通信装置によって検出することと、検出後、モバイル通信装置によって受信されたオーディオ／ビデオ放送をモバイル通信装置におけるタイムシフトメモリに格納することと、第２の装置の存在がモバイル通信装置によって検出される場合に、モバイル通信装置を第２の装置に接続し、及びモバイル通信装置による第１の装置から第２の装置へのオーディオ／ビデオ放送のシームレスな再生ハンドオーバのために、モバイル通信装置におけるオーディオ／ビデオ放送受信装置によって受信されたオーディオ／ビデオ放送を、モバイル通信装置におけるタイムシフトメモリから第２の装置へとモバイル通信装置によってタイムシフトしてストリーミングすることとを含む。
【手続補正３】
【補正対象書類名】明細書
【補正対象項目名】０００６
【補正方法】変更
【補正の内容】
【０００６】
異なる実施形態によれば、方法は、モバイル通信装置におけるタイムシフトメモリからのオーディオ／ビデオ放送の、前記モバイル通信装置によるタイムシフトされたストリーミングのタイムシフト遅延が閾値未満であるときに、第２の装置に含まれるか又は第２の装置に関連付けられている、オーディオ／ビデオ放送を受信するための受信装置を通じた第２の装置によるオーディオ／ビデオ放送の受信に切り替わるための要求を、モバイル通信装置によって第２の装置に送信することと、第２の装置における受信装置を通じたオーディオ／ビデオ放送の受信に第２の装置が切り替わったという確認がモバイル通信装置によって第２の装置から受信されるときに、オーディオ／ビデオ放送の受信及び格納のために使用されたモバイル通信装置の資源をモバイル通信装置によって解放することとを含み、タイムシフト遅延は、前記検出と前記タイムシフトされたストリーミングの開始との間で経過した時間に対応する。
【手続補正４】
【補正対象書類名】明細書
【補正対象項目名】０００７
【補正方法】変更
【補正の内容】
【０００７】
異なる実施形態によれば、再生の中断の検出は、第１の装置によって生成される少なくとも１つの物理的パラメータのレベルが閾値未満に低下していることをモバイル通信装置が測定することに基づく。
【手続補正５】
【補正対象書類名】明細書
【補正対象項目名】０００８
【補正方法】変更
【補正の内容】
【０００８】
異なる実施形態によれば、第１の装置によって生成される少なくとも１つの物理的パラメータは、第１の装置によって生成される無線周波数信号の信号レベルである。
【手続補正６】
【補正対象書類名】明細書
【補正対象項目名】０００９
【補正方法】変更
【補正の内容】
【０００９】
異なる実施形態によれば、第１の装置によって生成される少なくとも１つの物理的パラメータは、オーディオ／ビデオ放送の第１の装置による再生のオーディオレベルである。
【手続補正７】
【補正対象書類名】明細書
【補正対象項目名】００１０
【補正方法】変更
【補正の内容】
【００１０】
異なる実施形態によれば、第２の装置の存在は、距離検出に基づいてモバイル通信装置によって検出され、第２の装置の存在は、モバイル通信装置と第２の装置との間の距離が閾値未満であるときに検出される。
【手続補正８】
【補正対象書類名】明細書
【補正対象項目名】００１１
【補正方法】変更
【補正の内容】
【００１１】
異なる実施形態によれば、第２の装置の存在は、短距離無線通信を通してモバイル通信装置によって検出される。
【手続補正９】
【補正対象書類名】明細書
【補正対象項目名】００１２
【補正方法】変更
【補正の内容】
【００１２】
異なる実施形態によれば、第２の装置の存在は、第２の装置を含む無線デジタル通信ネットワークの、モバイル通信装置による検出に基づいて、モバイル通信装置によって検出される。
【手続補正１０】
【補正対象書類名】明細書
【補正対象項目名】００１３
【補正方法】変更
【補正の内容】
【００１３】
異なる実施形態によれば、第２の装置の存在は、モバイル通信装置による第２の装置の存在の物理的な検出に基づいて検出される。
【手続補正１１】
【補正対象書類名】明細書
【補正対象項目名】００１４
【補正方法】変更
【補正の内容】
【００１４】
異なる実施形態によれば、物理的な検出は、第２の装置の画像を捕捉するためのモバイル通信装置におけるカメラの使用を含む。
【手続補正１２】
【補正対象書類名】明細書
【補正対象項目名】００１５
【補正方法】変更
【補正の内容】
【００１５】
異なる実施形態によれば、物理的な検出は、第２の装置へのモバイル通信装置のポインティングを決定するためのモバイル通信装置におけるポインティング装置の使用を含む。
【手続補正１３】
【補正対象書類名】明細書
【補正対象項目名】００１６
【補正方法】変更
【補正の内容】
【００１６】
本原理はまた、モバイル通信装置による第１の装置から第２の装置へのオーディオ／ビデオ放送のシームレスな再生ハンドオーバのためのモバイル通信装置であって、第１の装置によって同様に受信及び再生されるオーディオ／ビデオ放送を受信するように構成された、モバイル通信装置におけるオーディオ／ビデオ放送受信機と、オーディオ／ビデオ放送の第１の装置による再生の中断を検出するように構成された、モバイル通信装置における検出器と、検出時に、モバイル通信装置における受信機によって受信されるオーディオ／ビデオ放送をモバイル通信装置に格納するように構成された、モバイル通信装置におけるタイムシフトメモリと、第２の装置の存在がモバイル通信装置によって検出される場合に、モバイル通信装置を第２の装置に接続するように構成された、モバイル通信装置におけるネットワークインターフェース、及びモバイル通信装置による第１の装置から第２の装置へのオーディオ／ビデオ放送のシームレスな再生ハンドオーバのために、モバイル通信装置におけるオーディオ／ビデオ放送受信機によって受信されたオーディオ／ビデオ放送を、モバイル通信装置におけるタイムシフトメモリから第２の装置へとタイムシフトしてストリーミングするように構成されたプロセッサとを含むモバイル通信装置を含む。
【手続補正１４】
【補正対象書類名】明細書
【補正対象項目名】００１７
【補正方法】変更
【補正の内容】
【００１７】
モバイル通信装置の異なる実施形態によれば、モバイル通信装置におけるネットワークインターフェースは、モバイル通信装置による第２の装置へのオーディオ／ビデオ放送のタイムシフトされたストリーミングのタイムシフト遅延が閾値未満であるときに、第２の装置に含まれるか又は第２の装置に関連付けられている、オーディオ／ビデオ放送を受信するための受信装置を通じた第２の装置によるオーディオ／ビデオ放送の受信に切り替わるための要求を、第２の装置に送信するように更に構成され、及びモバイル通信装置におけるプロセッサは、第２の装置における受信装置を通じたオーディオ／ビデオ放送の受信に第２の装置が切り替わったという確認がモバイル通信装置によって第２の装置から受信されると、モバイル通信装置におけるオーディオ／ビデオ放送受信機及びモバイル通信装置におけるタイムシフトメモリを解放するように更に構成される。
【手続補正１５】
【補正対象書類名】明細書
【補正対象項目名】００１８
【補正方法】変更
【補正の内容】
【００１８】
モバイル通信装置の異なる実施形態によれば、モバイル通信装置における検出器は、第１の装置によって生成される少なくとも１つの物理的パラメータのレベルを測定することにより、第１の装置による再生の中断を検出するように更に構成される。
【手続補正１６】
【補正対象書類名】明細書
【補正対象項目名】００１９
【補正方法】変更
【補正の内容】
【００１９】
装置の異なる実施形態によれば、検出器は、第１の装置によって生成される無線周波数信号の信号レベルを測定することにより、第１の装置による再生の中断を検出するように更に構成される。
【手続補正１７】
【補正対象書類名】明細書
【補正対象項目名】００８３
【補正方法】変更
【補正の内容】
【００８３】
コンピュータ可読記憶媒体は、１つ又は複数のコンピュータ可読媒体において具体化され、且つコンピュータによって実行可能なコンピュータ可読プログラムコードをそれ自体に具体化させるコンピュータ可読プログラム製品の形態を取ることができる。本明細書で用いられるようなコンピュータ可読記憶媒体は、そこに情報を格納する固有の容量と同様に、そこからの情報の検索を提供する固有の能力を与えられた非一時的な記憶媒体と考えられる。コンピュータ可読記憶媒体は、例えば、限定するわけではないが、電子、磁気、光学、電磁気、赤外線若しくは半導体システム、機器又は装置、或いは前述したものの任意の適切な組み合わせとすることができる。本原理が適用され得るコンピュータ可読記憶媒体のより多くの具体例を提供する一方で、下記が、当業者によって容易に理解されるような単なる実例であり包括的なリストではないことを理解されたい：ポータブルコンピュータディスケット、ハードディスク、読み取り専用メモリ（ＲＯＭ）、消去可能プログラム可能読み取り専用メモリ（ＥＰＲＯＭ若しくはフラッシュメモリ）、ポータブルコンパクトディスク読み取り専用メモリ（ＣＤ−ＲＯＭ）、光記憶装置、磁気記憶装置、又は前述したものの任意の適切な組み合わせ。
上記実施形態の一部又は全部は、以下の付記のようにも記載されうるが、以下には限られない。
（付記１）
第１の装置（１２）から第２の装置（１０１〜１０６）へのオーディオ／ビデオ放送のシームレスな再生ハンドオーバの方法であって、中間装置（１３）によって実行され、
前記第１の装置によって再生される前記オーディオ／ビデオ放送の受信を前記中間装置によって設定すること（６１）と、
前記オーディオ／ビデオ放送の前記第１の装置による再生の中断を前記中間装置によって検出し（６２）、及び前記中間装置によって受信された前記オーディオ／ビデオ放送を前記中間装置のタイムシフトメモリに格納すること（６３）と、
前記第２の装置の存在が前記中間装置によって検出される（６４）場合に、前記中間装置を前記第２の装置に接続し（６５）、及び前記第１の装置から前記第２の装置への前記オーディオ／ビデオ放送のシームレスな再生ハンドオーバのために、前記中間装置によって受信された前記オーディオ／ビデオ放送を、前記中間装置の前記タイムシフトメモリから前記第２の装置へと前記中間装置によってタイムシフトしてストリーミングすること（６６）と
を含む方法。
（付記２）
前記オーディオ／ビデオ放送の前記タイムシフトされたストリーミングのタイムシフト遅延が閾値未満であるときに、
前記第２の装置に含まれるか又は前記第２の装置に関連付けられている、前記オーディオ／ビデオ放送を受信するための受信装置を通じた前記第２の装置による前記オーディオ／ビデオ放送の受信に切り替わるための要求を、前記中間装置によって前記第２の装置に送信することと、
前記第２の装置の前記受信装置を通じた前記オーディオ／ビデオ放送の受信に前記第２の装置が切り替わったという確認が前記中間装置によって前記第２の装置から受信されるときに、前記オーディオ／ビデオ放送の受信及び格納のために使用された前記中間装置の資源を前記中間装置によって解放することと
を更に含む、付記１に記載の方法。
（付記３）
再生の前記中断の前記検出は、前記第１の装置によって生成される少なくとも１つの物理的パラメータのレベルが閾値未満に低下していることを前記中間装置が測定することに基づく、付記１又は２に記載の方法。
（付記４）
前記第１の装置によって生成される前記少なくとも１つの物理的パラメータは、前記第１の装置によって生成される無線周波数信号の信号レベルである、付記３に記載の方法。
（付記５）
前記第１の装置によって生成される前記少なくとも１つの物理的パラメータは、前記オーディオ／ビデオ放送の前記第１の装置による再生のオーディオレベルである、付記３又は４に記載の方法。
（付記６）
前記第２の装置の前記存在は、距離検出に基づいて検出され、前記第２の装置の前記存在は、前記中間装置と前記第２の装置との間の距離が閾値未満である場合に検出される、付記１〜５のいずれか一項に記載の方法。
（付記７）
前記第２の装置の前記存在は、短距離無線通信を通して検出される、付記１〜６のいずれか一項に記載の方法。
（付記８）
前記第２の装置の前記存在は、前記第２の装置を含む無線デジタル通信ネットワークの検出に基づいて検出される、付記１〜７のいずれか一項に記載の方法。
（付記９）
前記第２の装置の前記存在は、前記中間装置による前記第２の装置の存在の物理的な検出に基づいて検出される、付記１〜８のいずれか一項に記載の方法。
（付記１０）
前記物理的な検出は、前記第２の装置の画像を捕捉するための前記中間装置におけるカメラの使用を含む、付記９に記載の方法。
（付記１１）
前記物理的な検出は、前記第２の装置への前記中間装置のポインティングを決定するためのポインティング装置の使用を含む、付記９又は１０に記載の方法。
（付記１２）
第１の装置（１２）から第２の装置（１０１〜１０６）へのオーディオ／ビデオ放送（５０６）のシームレスな再生ハンドオーバのための機器（１３）であって、
前記第１の装置によって再生される前記オーディオ／ビデオ放送を受信するように構成された受信機（５０２）と、
前記オーディオ／ビデオ放送の前記第１の装置による再生の中断を検出するように構成された検出器（５０９）、及び前記検出時に、前記受信機によって受信される前記オーディオ／ビデオ放送を格納するように構成されたタイムシフトメモリ（５０４）と、
前記第２の装置の存在が検出される場合に前記機器を前記第２の装置に接続するように構成されたネットワークインターフェース（５０５）、及び前記第１の装置から前記第２の装置への前記オーディオ／ビデオ放送のシームレスな再生ハンドオーバのために、前記受信機によって受信された前記オーディオ／ビデオ放送を、前記タイムシフトメモリから前記第２の装置へタイムシフトしてストリーミングするように構成されたプロセッサと
を含む機器。
（付記１３）
前記ネットワークインターフェースは、前記オーディオ／ビデオ放送の前記タイムシフトされたストリーミングのタイムシフト遅延が閾値未満であるときに、前記第２の装置に含まれるか又は前記第２の装置に関連付けられている、前記オーディオ／ビデオ放送を受信するための受信装置を通じた前記第２の装置による前記オーディオ／ビデオ放送の受信に切り替わるための要求を、前記第２の装置に送信するように更に構成され、及び
前記プロセッサは、前記第２の装置の前記受信装置を通じた前記オーディオ／ビデオ放送の受信に前記第２の装置が切り替わったという確認が前記機器によって前記第２の装置から受信されるときに、前記受信機及び前記タイムシフトメモリを解放するように更に構成され、付記１２に記載の機器。
（付記１４）
前記検出器は、前記第１の装置によって生成される少なくとも１つの物理的パラメータのレベルを測定することにより、前記第１の装置による再生の中断を検出するように更に構成される、付記１２又は１３に記載の機器。
（付記１５）
前記検出器は、前記第１の装置によって生成される無線周波数信号の信号レベルを測定することにより、前記第１の装置による再生の中断を検出するように更に構成される、付記１４に記載の機器。